(57)【要約】  本明細書に記載の態様は、時間とともに変化する嗅覚プロファイルを有するフレグランス組成物を提供し、該フレグランス組成物は嗅覚調節効果を与える少なくとも２種の対照的な香料アコードを含み、該香料配合物は、知覚される強さが増加した、かつ知覚の持続性が向上した、望ましい香りを送達する。
2021506991.tif 000002
【特許請求の範囲】
【請求項１】
少なくとも２種の賦香アコードを含む香料組成物であって、
前記少なくとも２種の賦香アコードの第１の香料アコードは、第１の嗅覚ノートにより支配される賦香化合物を含み、
前記少なくとも２種の賦香アコードの第２の香料アコードは、第２の嗅覚ノートにより支配される賦香化合物を含み、
前記第１の嗅覚ノートと前記第２の嗅覚ノートとは対照的なノートであり、
前記第１の香料アコードは、前記第１の嗅覚ノートが対象により１番目に知覚されるのに十分な量だけ前記香料組成物中に存在し、
前記第２の香料アコードは、前記第２の嗅覚ノートが対象により２番目に知覚されるのに十分な量だけ前記香料組成物中に存在し、
前記第１の嗅覚ノートおよび前記第２の嗅覚ノートの知覚は、対象による前記香料組成物の知覚の経時的な減少を減じる、防止する、または抑制するのに十分なレベルである、
香料組成物。
【請求項２】
前記２番目は前記１番目の後である、請求項１記載の香料組成物。
【請求項３】
前記第１の香料アコードが、７０，０００〜１００μｇ／ｌ（空気）の範囲の揮発性を有する賦香化合物を含む、請求項１記載の香料組成物。
【請求項４】
前記第２の香料アコードが、９９〜５０μｇ／ｌ（空気）の範囲の揮発性を有する賦香化合物を含む、請求項１記載の香料組成物。
【請求項５】
第３の嗅覚ノートにより支配される賦香化合物を含む第３の香料アコードをさらに含み、前記第３の香料アコードは、前記第３の嗅覚ノートが対象により３番目に知覚されるのに十分な量だけ前記香料組成物中に存在する、請求項１記載の香料組成物。
【請求項６】
前記３番目は前記２番目の後である、請求項５記載の香料組成物。
【請求項７】
前記第３の香料アコードが、４９〜０．１μｇ／ｌ（空気）の範囲の揮発性を有する賦香化合物を含む、請求項５記載の香料組成物。
【請求項８】
前記第１の香料アコードの十分な量は、質量基準で前記香料組成物の３０％〜７０％である、請求項１記載の香料組成物。
【請求項９】
前記第２の香料アコードの十分な量は、質量基準で前記香料組成物の３０％〜７０％である、請求項１記載の香料組成物。
【請求項１０】
前記第３の香料アコードの十分な量は、質量基準で前記香料組成物の３０％〜７０％である、請求項５記載の香料組成物。
【請求項１１】
前記第１の香料アコードと前記第２の香料アコードとは３：１〜１：３の範囲の質量比で前記香料組成物中に存在する、請求項１記載の香料組成物。
【請求項１２】
前記第１の香料アコードと前記第２の香料アコードとは１：１の質量比で前記香料組成物中に存在する、請求項１記載の香料組成物。
【請求項１３】
前記第１の香料アコードと、前記第２の香料アコードと、前記第３の香料アコードとは、１：１：１の質量比で前記香料組成物中に存在する、請求項５記載の香料組成物。
【請求項１４】
前記第１の嗅覚ノートの後の前記第２の嗅覚ノートの知覚は、対象による前記香料組成物の知覚の経時的な減少を減じる、防止する、または抑制するのに十分なレベルである、請求項１記載の香料組成物。
【請求項１５】
前記第１の嗅覚ノート、前記第２の嗅覚ノート、および前記第３の嗅覚ノートの知覚は、対象による前記香料組成物の知覚の経時的な減少を減じる、防止する、または抑制するのに十分なレベルである、請求項５記載の香料組成物。
【請求項１６】
前記第１の香料アコードが、マトリックス材中に封入された前記第１の香料アコードを含む混合物をさらに含む、請求項５記載の香料組成物。
【請求項１７】
前記第２の香料アコードが、マトリックス材中に封入された前記第２の香料アコードを含む混合物をさらに含む、請求項５記載の香料組成物。
【請求項１８】
前記第３の香料アコードが、マトリックス材中に封入された前記第３の香料アコードを含む混合物をさらに含む、請求項５記載の香料組成物。
【発明の詳細な説明】
【技術分野】
【０００１】
（関連出願の相互参照）
本願は２０１７年１２月２２日に出願された米国特許仮出願第６２／６０９，６５３号、および２０１８年３月１９日に出願された欧州特許出願第１８１６２６５９．９号の利益を主張するものであり、これらの全体を参照により本明細書に取り入れる。
【０００２】
本発明は、香料の分野に関する。具体的には、時間とともに変化する嗅覚プロファイルを有するフレグランス組成物であって、該フレグランス組成物は嗅覚調節効果を与える少なくとも２種の対照的な香料アコードを含み、該香料配合物は、知覚される強さが増加した、かつ知覚の持続性が向上した、望ましい香りを送達する。
【０００３】
発明の背景
消費者は異なる感覚体験を求めており、香料業界はその要求に応えるための解決策を、特に時間が経っても芳香体験を長引かせる方法を、常に模索している。香料業界はまた、時間が経つと知覚される強さを低下させる、芳香への順化および芳香への順応といわれる現象に対する解決策も、熱心に探求している。
【０００４】
発明の概要
本明細書に記載の一態様は、少なくとも２種の賦香アコードを含む香料組成物を提供し、
該少なくとも２種の賦香アコードの第１の香料アコードは、第１の嗅覚ノートにより支配される賦香化合物を含み、
該少なくとも２種の賦香アコードの第２の香料アコードは、第２の嗅覚ノートにより支配される賦香化合物を含み、
該第１の嗅覚ノートと該第２の嗅覚ノートとは対照的なノートであり、
該第１の香料アコードは、該第１の嗅覚ノートが対象により１番目に知覚されるのに十分な量だけ該香料組成物中に存在し、
該第２の香料アコードは、該第２の嗅覚ノートが対象により２番目に知覚されるのに十分な量だけ該香料組成物中に存在し、
該第１の嗅覚ノートおよび該第２の嗅覚ノートの知覚は、対象による該香料組成物の知覚の経時的な減少を減じる、防止する、または抑制するのに十分なレベルである。
【０００５】
一態様では、２番目は１番目の後である。
【０００６】
一態様では、第１の香料アコードが、７０，０００〜１００μｇ／ｌ（空気）の範囲の揮発性を有する賦香化合物を含む。
【０００７】
一態様では、第２の香料アコードが、９９〜５０μｇ／ｌ（空気）の範囲の揮発性を有する賦香化合物を含む。
【０００８】
一態様では、第１の香料アコードの十分な量は、質量基準で香料組成物の３０％〜７０％である。
【０００９】
一態様では、第２の香料アコードの十分な量は、質量基準で香料組成物の３０％〜７０％である。
【００１０】
一態様では、第１の香料アコードと第２の香料アコードとは３：１〜１：３の範囲の質量比で香料組成物中に存在する。
【００１１】
一態様では、第１の香料アコードと第２の香料アコードとは１：１の質量比で香料組成物中に存在する。
【００１２】
一態様では、第１の嗅覚ノートの後の第２の嗅覚ノートの知覚は、対象による香料組成物の知覚の経時的な減少を減じる、防止する、または抑制するのに十分なレベルである。
【００１３】
一態様では、香料組成物は、第３の嗅覚ノートにより支配される賦香化合物を含む第３の香料アコードをさらに含み、該第３の香料アコードは、該第３の嗅覚ノートが対象により３番目に知覚されるのに十分な量だけ該香料組成物中に存在する。
【００１４】
一態様では、第３の香料アコードの十分な量は、質量基準で香料組成物の３０％〜７０％である。
【００１５】
一態様では、第１の香料アコードと、第２の香料アコードと、第３の香料アコードとは、１：１：１の質量比で香料組成物中に存在する。
【００１６】
一態様では、第３の嗅覚ノートと第２の嗅覚ノートとは対照的なノートである。
【００１７】
一態様では、第１の香料アコードが、マトリックス材中に封入された第１の香料アコードを含む混合物をさらに含む。
【００１８】
一態様では、第２の香料アコードが、マトリックス材中に封入された第２の香料アコードを含む混合物をさらに含む。
【００１９】
一態様では、第３の香料アコードが、マトリックス材中に封入された第３の香料アコードを含む混合物をさらに含む。
【００２０】
一態様では、第３の嗅覚ノートと第１の嗅覚ノートとは対照的なノートである。
【００２１】
一態様では、３番目は２番目の後である。
【００２２】
一態様では、第３の香料アコードが、４９〜０．１μｇ／ｌ（空気）の範囲の揮発性を有する賦香化合物を含む。
【００２３】
一態様では、１番目は、対象の賦香組成物への曝露後１時間未満である。
【００２４】
一態様では、２番目は、対象の賦香組成物への曝露後１〜６時間である。
【００２５】
一態様では、２番目は、対象の賦香組成物への曝露後１〜４時間である。
【００２６】
一態様では、３番目は、対象の賦香組成物への曝露後４〜６時間である。
【００２７】
一態様では、第１の嗅覚ノート、第２の嗅覚ノート、および第３の嗅覚ノートの知覚は、対象による香料組成物の知覚の経時的な減少を減じる、防止する、または抑制するのに十分なレベルである。
【００２８】
一態様では、第２の嗅覚ノートの後の第３の嗅覚ノートの知覚は、対象による香料組成物の知覚の経時的な減少を減じる、防止する、または抑制するのに十分なレベルである。
【００２９】
一態様では、第１の嗅覚ノートが、フローラル、ウォーター、グリーン、フルーティー、およびシトラス嗅覚ノートからなる群より選択される。
【００３０】
一態様では、第２の嗅覚ノートが、フローラル、フルーティー、シトラス、スイート、オリエンタル、ウッディ、およびメレンゲ嗅覚ノートからなる群より選択される。
【００３１】
一態様では、第３の嗅覚ノートが、フローラル、フルーティー、シトラス、スイート、オリエンタル、ウッディ、およびメレンゲ嗅覚ノートからなる群より選択される。
【００３２】
一態様では、第１の香料アコードが、レモンからなる嗅覚ノートにより支配され、第２の香料アコードが、オリエンタルからなる第２の嗅覚ノートにより支配される。
【００３３】
一態様では、第１の香料アコードが、レモンからなる嗅覚ノートにより支配され、第２の香料アコードが、メレンゲからなる嗅覚ノートにより支配される。
【００３４】
一態様では、第１の香料アコードが、シトラス、フローラル、フルーティー、およびグリーンからなる嗅覚ノートにより支配され、第２の香料アコードが、フローラル、フルーティー、およびスイートからなる嗅覚ノートにより支配される。
【００３５】
一態様では、第１の香料アコードが、シトラスおよびグリーンからなる嗅覚ノートにより支配され、第２の香料アコードが、フローラルおよびフルーティーからなる嗅覚ノートにより支配され、第３の香料アコードが、フローラル、フルーティー、シトラス、およびスイートからなる嗅覚ノートにより支配される。
【００３６】
一態様では、香料組成物は既製の香料組成物であり、第１の香料アコードが、この既製の香料組成物に、第１の嗅覚ノートが対象により１番目に知覚されるのに十分な量だけ添加される。
【００３７】
一態様では、香料組成物は既製の香料組成物であり、第２の香料アコードが、この既製の香料組成物に、第２の嗅覚ノートが対象により２番目に知覚されるのに十分な量だけ添加される。
【００３８】
一態様では、香料組成物は既製の香料組成物であり、第３の香料アコードが、この既製の香料組成物に、第３の嗅覚ノートが対象により３番目に知覚されるのに十分な量だけ添加される。
【００３９】
本明細書に記載の一態様は、本明細書に記載の一態様の香料組成物を含む製品を提供する。
【００４０】
一態様では、製品は、香水、オードトワレ、ホームケア製品、およびパーソナルケア製品からなる群より選択される。
【００４１】
本明細書に記載の一態様は、対象による香料組成物の知覚の経時的な減少を減じる、防止する、または抑制する方法を提供し、該方法は、対象を本明細書に記載の一態様の香料組成物に曝露することを含む。
【００４２】
本明細書に記載の一態様は、対象による香料組成物の知覚の経時的な減少を減じる、防止する、または抑制する方法を提供し、該方法は、空気中に少なくとも部分的に、第１の嗅覚ノートにより支配される第１の香料アコードを、そして第２の嗅覚ノートにより支配される第２の香料アコードを形成する賦香化合物を含む第２の芳香物を、順次吐出することを含む。
【００４３】
一態様では、順次吐出することは、デバイスを用いて実施される。
【００４４】
一態様では、第１のアコードと第２のアコードとは、デバイス内で物理的に分離されている。
【図面の簡単な説明】
【００４５】
【図１】本明細書に記載のいくつかの態様による、匂いの類似性および差異に基づき類推される嗅覚群間の関係を示すフレグランスホイールである。
【図２】本明細書に記載のいくつかの態様による、対照的および非対照的なアコードへの順次曝露後に知覚された芳香の強さのグラフである。
【図３】本明細書に記載のいくつかの態様による、対照的および非対照的なアコードへの順次曝露後に知覚された芳香の強さのグラフである。
【図４】本明細書に記載のいくつかの態様による、対照的および非対照的なアコードへの順次曝露後に知覚された芳香の強さのグラフである。
【図５】表示の時間における基準ファインフレグランスの嗅覚プロファイルである。各時点のバーは左から順に、グリーン、シトラス、フルーティー、フローラル、ウッディ、ムスク、もしくはスイート／グルマンノートを知覚した、またはどのノートも知覚しなかった対象の数を表す。
【図６】対象を基準ファインフレグランスに２分間曝露した後の、表示の時間における該ファインフレグランスの嗅覚プロファイルである。各時点のバーは左から順に、グリーン、シトラス、フルーティー、フローラル、ウッディ、ムスク、もしくはスイート／グルマンノートを知覚した、またはどのノートも知覚しなかった対象の数を表す。
【図７】表示の時間における本明細書に記載の一態様のファインフレグランスの嗅覚プロファイルである。各時点のバーは左から順に、グリーン、シトラス、フルーティー、フローラル、ウッディ、ムスク、もしくはスイート／グルマンノートを知覚した、またはどのノートも知覚しなかった対象の数を表す。
【図８】対象を本明細書に記載の一態様のファインフレグランスに２分間曝露した後の、表示の時間における該ファインフレグランスの嗅覚プロファイルである。各時点のバーは左から順に、グリーン、シトラス、フルーティー、フローラル、ウッディ、ムスク、もしくはスイート／グルマンノートを知覚した、またはどのノートも知覚しなかった対象の数を表す。
【図９】表示の時間における本明細書に記載の一態様のファインフレグランスの嗅覚プロファイルである。各時点のバーは左から順に、グリーン、シトラス、フルーティー、フローラル、ウッディ、ムスク、もしくはスイート／グルマンノートを知覚した、またはどのノートも知覚しなかった対象の数を表す。
【図１０】対象を本明細書に記載の一態様のファインフレグランスに２分間曝露した後の、表示の時間における該ファインフレグランスの嗅覚プロファイルである。各時点のバーは左から順に、グリーン、シトラス、フルーティー、フローラル、ウッディ、ムスク、もしくはスイート／グルマンノートを知覚した、またはどのノートも知覚しなかった対象の数を表す。
【図１１】実施例４で評価されたファインフレグランスの知覚の強さの平均低下率を示す図である。
【図１２】本明細書に記載のいくつかの態様の香料組成物への順次曝露後に知覚されたフレグランス強さの図である。
【図１３】本明細書に記載のいくつかの態様のシャワージェル組成物を用いた第１の試験の平均パネルスコアである。
【図１４】本明細書に記載のいくつかの態様のシャワージェル組成物を用いた第２の試験の平均パネルスコアである。
【００４６】
発明の詳細な説明
以下の説明では、例示として示される、実施され得る具体的な実施形態を参照する。それらの実施形態は、本明細書に記載の本発明を当業者が実施できるように詳細に説明されているが、他の実施形態も利用できること、および本明細書に記載の態様の範囲から逸脱することなく論理的な変更も可能であることを理解されたい。したがって、以下に説明される例としての実施形態は限定的に解釈すべきではなく、本明細書に記載のさまざまな態様の範囲は添付の特許請求の範囲によって定義されるものである。
【００４７】
読者が本技術的開示の特性および趣旨を速やかに把握できるように、米国特許法３７  Ｃ．Ｆ．Ｒ．  §１．７２（ｂ）にしたがい要約が提供されている。なお、要約は、特許請求の範囲の解釈または限定には使用されないという認識のもとに提出されている。
【００４８】
消費者は異なる感覚体験を求めており、香料業界はその要求に応えるための解決策を、特に時間が経っても芳香体験を長引かせる方法を、常に模索している。香料業界はまた、時間が経つと知覚される強さを低下させる、芳香への順化および芳香への順応といわれる現象に対する解決策も、熱心に探求している。本開示は、上述の問題、特に芳香の知覚の経時的な低下に対する解決策を提供し、フレグランスの持続性を向上させ、かつ新しい感覚体験に対する消費者の需要を満たすための新奇の解決策を提供する。
【００４９】
匂い表現用語が周知であり、フレグランスの匂い特徴を表現するのに広く用いられている。匂い特徴を表現するためのいくつかの手順が公知であって、多くの出版物の目的となっており、また香料業界では匂い表現用語（嗅覚ノート）の感覚地図（ｓｅｎｓｏｒｙ  ｍａｐ）が周知であり、利用されている。２００９年、香料の匂い知覚の標準的な感覚地図の製作への取り組みがM. ZarzoおよびDavid StantonによりAttention, Perception and Psychophysicy, 2009, 71(2) 225-247に記載された。したがって、いくつかの態様では、香料アコードをいくつかの表現用語を用いて定義する場合がある。
【００５０】
本明細書では、「対照的なアコード」、「対照的なノート」、または「対照的な対」という用語は、それぞれの支配的な嗅覚ノートが互いに遠い匂いファミリーに属するアコードを指すものとする。それらのフレグランスファミリーは、たとえばフレグランスホイールなどのツールを用いて定義することができる。例示的なフレグランスホイールを図１に示す。
【００５１】
図１に示す分類を参照すると、フレグランスホイールで互いに隣接した嗅覚ノート同士は対照的な嗅覚ノートとはみなされない。しかし、少なくとも１つの嗅覚ノートを挟んで離れている嗅覚ノート同士は対照的な嗅覚ノートとみなされ、その相違の度合いはどれだけ離れているかに正比例する。たとえば例示として、ドライウッズ嗅覚ノートはソフトフローラル嗅覚ノートの反対側にあるので、相違の度合いはソフトフローラル嗅覚ノートとソフトオリエンタル嗅覚ノートとの相違よりも大きいとみなされる。
【００５２】
本発明の文脈における対照的なアコードは、２種のアコード間に２つ以上の共通の表現用語がない、好ましくは２種のアコードの間に共通の表現用語がないアコードと定義することができる。たとえば、「スイート」と「アロマティック」とは強い相関があり、２つ以上の共通の表現用語がある。スイートはパウダリーとも相関がある。アロマティックとパウダリーとの間には緊密な相関はないが、どちらもスイートと相関があるので、本発明の文脈では対照的とはいえない。
【００５３】
対照的なアコードの別な見方として、交叉順応の概念が用いられる。交叉順応は香料の技術分野では周知であり、アコード間に知覚の交叉順応がない場合、それらは対照的なアコードといえる。
【００５４】
かわりに、いくつかの態様では、嗅覚ノートは、Zarzo, J. Sensory Studies, 23 (2008), pg 354-376に開示の方法により対照的として分類され得る。
【００５５】
かわりに、いくつかの態様では、嗅覚ノートは、Zarzo, J. Chemical Senses (2015), pg 305-313に開示の方法により対照的として分類され得る。
【００５６】
かわりに、いくつかの態様では、嗅覚ノートは、Zarzo, J. Chemical Senses 31 (2006), pg 713-724に開示の方法により対照的として分類され得る。
【００５７】
かわりに、いくつかの態様では、嗅覚ノートは、Abe et al, Analytica Chimica 239 (1990), pg 73-85に開示の方法により対照的として分類され得る。
【００５８】
かわりに、いくつかの態様では、嗅覚ノートは、Chastrette et al, Chemical Senses 16 (1991), pg 81-93に開示の方法により対照的として分類され得る。
【００５９】
本明細書に記載のいくつかの態様の組成物：
対象の香料組成物の知覚は経時的に低下し得る。本明細書に記載される組成物は、対象のフレグランスの知覚の低下に対し、いくつかの点で対応する。
【００６０】
対照的な賦香アコードを含む組成物：対照的なフレグランスアコードを組み合わせて一つの組成物にすると、アコードの対の差異が際立ち得るという驚くべき知見を得た。具体的には、本発明者らは、そうした異なるフレグランスアコードから得られた混合物が知覚される強さは、個別のアコードの強さに基づく予想よりも大幅に高いこと、そして、対照的なアコードの混合物の匂いに対する注意は、単独のアコードに対する注意よりも増強され、かつ長引くことを見出した。
【００６１】
したがって、本明細書に記載のいくつかの態様は、第１の嗅覚ノートにより支配される第１の香料アコードを形成する賦香化合物、および第２の嗅覚ノートにより支配される第２の香料アコードを形成する賦香化合物を含む、香料組成物を提供し、ここで第１の嗅覚ノートと第２の嗅覚ノートとは対照的なノートである。また、いくつかの態様は、対象により経時的に知覚される芳香の強さを向上させる方法を提供し、該方法は、該対象を本明細書で定義する組成物に曝露することを含む。
【００６２】
香料アコードは、賦香成分の混合物を指すものとする。本明細書では、「賦香成分」という用語は、匂いの付与または調節という主目的で用いられる化合物を意味する。換言すると、そのような成分が賦香成分とみなされるためには、単に匂いを有するというだけでなく、少なくとも組成物にいい匂いもしくは心地よい匂いを与えるか、匂いをそのように変調することができると、当業者により認識されなくてはならない。本開示の目的では、香料アコードはまた、賦香成分と、香料前駆体、エマルション、または分散体などの、賦香成分の送達をともに改善し、増強させ、または変える物質との組み合わせ、ならびに匂いの変調または付与を超えるさらなる恩恵、たとえば持続性、ブルーミング、消臭、抗微生物作用、微生物安定性、駆虫などを与える組み合わせも含む。
【００６３】
賦香成分の特性および種類については、本明細書ではさらに詳しい説明はせず、いずれにせよ網羅できるものではないが、当業者であれば、自身の一般知識に基づき、また所期の使用または用途および所望の感覚刺激効果に応じて、選択することができる。おおまかに言えば、これらの賦香成分は、アルコール、アルデヒド、ケトン、エステル、エーテル、アセタート、ニトリル、テルペノイド、窒素または硫黄含有ヘテロ環化合物、およびエッセンシャルオイルといったさまざまな化学種のクラスに属し、前述の賦香共成分は、天然由来でも合成でもよい。ともかく、こうした共成分の多くは、S. Arctander, Perfume and Flavor Chemicals, 1969, Montclair, New Jersey, USAという書籍もしくはその最新版、または同様の書籍などの参考書、ならびに香料分野の豊富な特許文献などに載っている。また、それらの成分は、さまざまな種類の賦香化合物を制御下で放出することが知られる化合物であってもよいことを理解されたい。
【００６４】
賦香成分は、香料業界で現在使用されている溶媒に溶かすことができる。いくつかの実施形態では、溶媒はアルコールではない。そのような溶媒の例は、フタル酸ジエチル、ミリスチン酸イソプロピル、Ａｂａｌｙｎ（登録商標）（ロジン樹脂、Ｅａｓｔｍａｎ社から入手可能）、安息香酸ベンジル、クエン酸エチル、リモネンもしくは他のテルペン、またはイソパラフィンである。いくつかの態様では、溶媒は、たとえばＡｂａｌｙｎ（登録商標）または安息香酸ベンジルのように、極めて疎水性が高く、立体障害性も高い。
【００６５】
いくつかの態様では、香料は３０％未満の溶媒を含む。いくつかの態様では、香料は２０％未満の、あるいは１０％未満の溶媒を含み、これらのパーセンテージはすべて、香料の全質量に対する質量で定められる。いくつかの態様では、香料は基本的に溶媒を含まない。
【００６６】
いくつかの態様では、第１の嗅覚ノートにより支配される第１の香料アコードを形成する賦香化合物を含む第１の芳香物は、周囲空間に分散したとき所与のプロファイルを有する。いくつかの態様では、所与のプロファイルは経時的に変化しない。同様に、いくつかの態様では、第２の嗅覚ノートにより支配される第２の香料アコードを形成する賦香化合物を含む第２の芳香物は、所与のプロファイルを有する。いくつかの態様では、所与のプロファイルは経時的に変化しない。
【００６７】
実施例１〜３を参照すると、本開示の組成物は、以下の実施例で示す個別のアコードが知覚される強さと比べて、知覚される芳香の強さを増加させることが、有利にも証明された。予想に反して、すなわち２種のアコードを含む組成物の強さは個別に評価されたそれぞれのアコードの強さの間であろうと思いきや、本発明の組成物は、増加した強さを示す。したがって、本発明の別の目的は、対象により経時的に知覚される芳香の強さを向上させる方法からなり、該方法は、該対象を、第１の嗅覚ノートにより支配される第１の香料アコードに曝露し、その後第２の嗅覚ノートにより支配される第２の香料アコードに曝露することを含み、ここで第１の嗅覚ノートと第２の嗅覚ノートとは対照的なノートである。
【００６８】
さらに、本明細書に記載される組成物は、消費者が対照的なアコードに順次曝露されたときの芳香のインパクトの顕著さも示している。したがって、芳香の顕著さを向上させる方法も本発明の目的であり、該方法は、空気中に少なくとも部分的に、第１の嗅覚ノートにより支配される第１の香料アコードを形成する賦香化合物を含む第１の芳香物を、そして第２の嗅覚ノートにより支配される第２の香料アコードを形成する賦香化合物を含む第２の芳香物を、順次吐出することを含み、ここで第１の嗅覚ノートと第２の嗅覚ノートとは対照的なノートである。
【００６９】
いくつかの態様では、第１の香料アコードが、フローラル、ウォーター、グリーン、フルーティー、およびシトラスからなる群より選択される嗅覚ノートにより支配され、第２の香料アコードが、オリエンタル、ウッディ、およびメレンゲからなる群より選択される嗅覚ノートにより支配される。代替の態様では、第１の香料アコードが、レモンからなる嗅覚ノートにより支配され、第２の香料アコードが、オリエンタルノートからなる第２の嗅覚ノートにより支配される。代替の態様では、第１の香料アコードが、レモンからなる嗅覚ノートにより支配され、第２の香料アコードが、メレンゲノートからなる嗅覚ノートにより支配される。
【００７０】
いくつかの態様では、香料組成物が、第３の対照的なアコードを含む。このアコードは、用いられる場合は、組成物中の他の２種のアコードと対照的でなくてはならない。組成物中のどのアコード対の間にも知覚の交叉順応（相互または非相互）があってはならず、少なくとも１対のアコードが相互のまたは非相互の知覚増強を示さなくてはならず、フレグランス組成物中の３種のアコードは互いに対し、だいたい同じ強さで用いられなくてはならない。
【００７１】
いくつかの態様では、香料組成物が、追加の成分をさらに含む。
【００７２】
異なる時間的放出プロファイルを有する対照的な賦香アコードを含む組成物：何ら特定の理論に縛られるわけではないが、いくつかの態様では、対象のフレグランスの知覚の低下（本明細書では順化ともいう）の可能性は、嗅覚プロファイル（すなわち香料組成物の嗅覚ノート）が経時的に変化しないか、わずかしか変化しない場合に大きくなり得る。
【００７３】
例示として、実施例４では、表面につけた後、最大６時間まで常にフローラル、ムスク、およびウッディと報告された嗅覚プロファイルを有する香料組成物を記載している。対象が香料組成物に順応し、香料組成物の知覚が経時的に低下したことが見出された。
【００７４】
それに対し、再び実施例４を参照すると、経時的に変化する嗅覚プロファイルを有する香料組成物については、より少ない順応が観測された。
【００７５】
したがって、いくつかの態様は、少なくとも２種の賦香アコードを含む香料組成物を提供し、
該少なくとも２種の賦香アコードの第１の香料アコードは、第１の嗅覚ノートにより支配される賦香化合物を含み、
該少なくとも２種の賦香アコードの第２の香料アコードは、第２の嗅覚ノートにより支配される賦香化合物を含み、
該第１の嗅覚ノートと該第２の嗅覚ノートとは対照的なノートであり、
該第１の香料アコードは、該第１の嗅覚ノートが対象により１番目に知覚されるのに十分な量だけ該香料組成物中に存在し、
該第２の香料アコードは、該第２の嗅覚ノートが対象により２番目に知覚されるのに十分な量だけ該香料組成物中に存在し、
該第１の嗅覚ノートおよび該第２の嗅覚ノートの知覚は、対象による該香料組成物の知覚の経時的な減少を減じる、防止する、または抑制するのに十分なレベルである。
【００７６】
いくつかの態様では、２番目は１番目の後である。
【００７７】
いくつかの態様では、香料組成物は、第３の嗅覚ノートにより支配される賦香化合物を含む第３の香料アコードをさらに含み、該第３の香料アコードは、該第３の嗅覚ノートが対象により３番目に知覚されるのに十分な量だけ該香料組成物中に存在する。
【００７８】
いくつかの態様では、３番目は２番目の後である。
【００７９】
いくつかの実施形態では、香料組成物は、表２に記載の香料組成物である。
【００８０】
いくつかの実施形態では、香料組成物は、表３に記載の香料組成物である。
【００８１】
いくつかの態様では、香料組成物は、追加の成分をさらに含む。
【００８２】
いくつかの態様では、香料組成物は既製の香料組成物であり、第１の香料アコードが、この既製の香料組成物に、第１の嗅覚ノートが対象により１番目に知覚されるのに十分な量だけ添加される。
【００８３】
いくつかの態様では、香料組成物は既製の香料組成物であり、第２の香料アコードが、この既製の香料組成物に、第２の嗅覚ノートが対象により２番目に知覚されるのに十分な量だけ添加される。
【００８４】
いくつかの態様では、香料組成物は既製の香料組成物であり、第３の香料アコードが、この既製の香料組成物に、第３の嗅覚ノートが対象により３番目に知覚されるのに十分な量だけ添加される。
【００８５】
いくつかの態様では、第３の嗅覚ノートと第２の嗅覚ノートとは対照的なノートである。
【００８６】
いくつかの態様では、第３の嗅覚ノートと第１の嗅覚ノートとは対照的なノートである。
【００８７】
いくつかの態様では、組成物中のどのアコード対の間にも（第１と第２、または第２と第３のいずれの間にも）知覚の交叉順応（相互または非相互）がない。
【００８８】
いくつかの実施形態では、少なくとも１対のアコードが相互の、または非相互の知覚増強を示す。
【００８９】
いくつかの態様では、第１の嗅覚ノートが、フローラル、ウォーター、グリーン、フルーティー、およびシトラス嗅覚ノートからなる群より選択される。
【００９０】
いくつかの態様では、第２の嗅覚ノートが、フローラル、フルーティー、シトラス、スイート、オリエンタル、ウッディ、およびメレンゲ嗅覚ノートからなる群より選択される。
【００９１】
いくつかの態様では、第３の嗅覚ノートが、フローラル、フルーティー、シトラス、スイート、オリエンタル、ウッディ、およびメレンゲ嗅覚ノートからなる群より選択される。
【００９２】
いくつかの態様では、第１の香料アコードが、レモンからなる嗅覚ノートにより支配され、第２の香料アコードが、オリエンタルからなる第２の嗅覚ノートにより支配される。
【００９３】
いくつかの態様では、第１の香料アコードが、レモンからなる嗅覚ノートにより支配され、第２の香料アコードが、メレンゲからなる嗅覚ノートにより支配される。
【００９４】
いくつかの態様では、第１の香料アコードが、シトラス、フローラル、フルーティー、およびグリーンからなる嗅覚ノートにより支配され、第２の香料アコードが、フローラル、フルーティー、およびスイートからなる嗅覚ノートにより支配される。
【００９５】
いくつかの態様では、第１の香料アコードが、シトラスおよびグリーンからなる嗅覚ノートにより支配され、第２の香料アコードが、フローラルおよびフルーティーからなる嗅覚ノートにより支配され、第３の香料アコードが、フローラル、フルーティー、シトラス、およびスイートからなる嗅覚ノートにより支配される。
【００９６】
いくつかの態様では、第１の香料アコードの十分な量は、質量基準で香料組成物の３０％〜７０％である。いくつかの態様では、第１の香料アコードの十分な量は、質量基準で香料組成物の４０％〜７０％である。いくつかの態様では、第１の香料アコードの十分な量は、質量基準で香料組成物の５０％〜７０％である。いくつかの態様では、第１の香料アコードの十分な量は、質量基準で香料組成物の６０％〜７０％である。いくつかの態様では、第１の香料アコードの十分な量は、質量基準で香料組成物の３０％〜６０％である。いくつかの態様では、第１の香料アコードの十分な量は、質量基準で香料組成物の３０％〜５０％である。いくつかの態様では、第１の香料アコードの十分な量は、質量基準で香料組成物の３０％〜４０％である。
【００９７】
いくつかの態様では、第１の香料アコードの十分な量は、質量基準で香料組成物の３０％、または４０％、または５０％、または６０％、または７０％である。
【００９８】
いくつかの態様では、第２の香料アコードの十分な量は、質量基準で香料組成物の３０％〜７０％である。いくつかの態様では、第２の香料アコードの十分な量は、質量基準で香料組成物の４０％〜７０％である。いくつかの態様では、第２の香料アコードの十分な量は、質量基準で香料組成物の５０％〜７０％である。いくつかの態様では、第２の香料アコードの十分な量は、質量基準で香料組成物の６０％〜７０％である。いくつかの態様では、第２の香料アコードの十分な量は、質量基準で香料組成物の３０％〜６０％である。いくつかの態様では、第２の香料アコードの十分な量は、質量基準で香料組成物の３０％〜５０％である。いくつかの態様では、第２の香料アコードの十分な量は、質量基準で香料組成物の３０％〜４０％である。
【００９９】
いくつかの態様では、第２の香料アコードの十分な量は、質量基準で香料組成物の３０％、または４０％、または５０％、または６０％、または７０％である。
【０１００】
いくつかの態様では、第１の香料アコードと第２の香料アコードとは３：１〜１：３の範囲の質量比で香料組成物中に存在する。いくつかの態様では、第１の香料アコードと第２の香料アコードとは１：１の質量比で香料組成物中に存在する。
【０１０１】
いくつかの態様では、第３の香料アコードの十分な量は、質量基準で香料組成物の３０％〜７０％である。いくつかの態様では、第３の香料アコードの十分な量は、質量基準で香料組成物の４０％〜７０％である。いくつかの態様では、第３の香料アコードの十分な量は、質量基準で香料組成物の５０％〜７０％である。いくつかの態様では、第３の香料アコードの十分な量は、質量基準で香料組成物の６０％〜７０％である。いくつかの態様では、第３の香料アコードの十分な量は、質量基準で香料組成物の３０％〜６０％である。いくつかの態様では、第３の香料アコードの十分な量は、質量基準で香料組成物の３０％〜５０％である。いくつかの態様では、第３の香料アコードの十分な量は、質量基準で香料組成物の３０％〜４０％である。
【０１０２】
いくつかの態様では、第３の香料アコードの十分な量は、質量基準で香料組成物の３０％、または４０％、または５０％、または６０％、または７０％である。
【０１０３】
いくつかの態様では、第１の香料アコードと、第２の香料アコードと、第３の香料アコードとは、１：１：１の質量比で香料組成物中に存在する。
【０１０４】
何ら特定の理論に縛られるわけではないが、特定の香料アコードの知覚は、たとえば特定の賦香成分混合物、賦香成分の揮発性、賦香成分の匂い検出閾値、対象が曝露される賦香成分の濃度など、いくつかの要因に左右される。
【０１０５】
いくつかの実施形態では、第１の、第２の、および第３の賦香アコードは、対象により知覚されるとき、同じ強さで知覚される。
【０１０６】
いくつかの実施形態では、所与の香料アコードがユーザーにより何番目に知覚されるかは、香料組成物中の他のアコードに対する所与の香料アコードの相対的な揮発性により制御され得る。たとえば、いくつかの実施形態では、第１の賦香アコードは、第２の、または第３の香料アコードを含む賦香成分よりも揮発性が高い賦香成分を含む。したがって、第１の香料アコードは、対象により、第２の香料アコードが知覚されるより前の１番目に知覚される。同様に、いくつかの実施形態では、第２の賦香アコードは、第３の香料アコードを含む賦香成分よりも揮発性が高い賦香成分を含む。したがって、第２の香料アコードは、対象により、第３の香料アコードが知覚されるより前の２番目に知覚される。同様に、第３の賦香アコードは、第２の香料アコードを含む賦香成分よりも揮発性が低い賦香成分を含む。したがって、第３の香料アコードは、対象により、第２の香料アコードが知覚された後の２番目に知覚される。
【０１０７】
いくつかの態様では、第１の香料アコードが、７０，０００〜１００μｇ／ｌ（空気）の範囲の揮発性を有する賦香化合物を含む。いくつかの態様では、７０，０００〜１００μｇ／ｌ（空気）の範囲の揮発性を有する賦香化合物は、「トップノート」と呼ばれる。
【０１０８】
いくつかの態様では、第２の香料アコードが、９９〜５０μｇ／ｌ（空気）の範囲の揮発性を有する賦香化合物を含む。いくつかの態様では、９９〜５０μｇ／ｌ（空気）の範囲の揮発性を有する賦香化合物は、「ミドルノート」と呼ばれる。
【０１０９】
いくつかの態様では、第３の香料アコードが、４９〜０．１μｇ／ｌ（空気）の範囲の揮発性を有する賦香化合物を含む。いくつかの態様では、４９〜０．１μｇ／ｌ（空気）の範囲の揮発性を有する賦香化合物は、「ボトムノート」と呼ばれる。
【０１１０】
いくつかの態様では、第１の香料アコードが、０．１ｍｍＨｇよりも高い蒸気圧を有する賦香化合物を含む。いくつかの態様では、０．１ｍｍＨｇよりも高い蒸気圧を有する賦香化合物は、「トップノート」と呼ばれる。
【０１１１】
いくつかの態様では、第２の香料アコードが、０．１ｍｍＨｇ〜０．００１ｍｍＨｇの蒸気圧を有する賦香化合物を含む。いくつかの態様では、０．１ｍｍＨｇ〜０．００１ｍｍＨｇの蒸気圧を有する賦香化合物は、「ミドルノート」と呼ばれる。
【０１１２】
いくつかの態様では、第３の香料アコードが、０．００１ｍｍＨｇ未満の蒸気圧を有する賦香化合物を含む。いくつかの態様では、０．００１ｍｍＨｇ未満の蒸気圧を有する賦香化合物は、「ボトムノート」と呼ばれる。
【０１１３】
表４〜１０は、ウォータリー、グリーン、フルーティー、シトラス、スイート、グルマン、およびウッディノートのそれぞれのトップ、ミドル、およびボトムノート賦香化合物を記述している。
【０１１４】
いくつかの態様では、第１の嗅覚ノートの後の第２の嗅覚ノートの知覚は、対象による香料組成物の知覚の経時的な減少を減じる、防止する、または抑制するのに十分なレベルである。
【０１１５】
いくつかの態様では、第１の嗅覚ノート、第２の嗅覚ノート、および第３の嗅覚ノートの知覚は、対象による香料組成物の知覚の経時的な減少を減じる、防止する、または抑制するのに十分なレベルである。
【０１１６】
いくつかの態様では、第２の嗅覚ノートの後の第３の嗅覚ノートの知覚は、対象による香料組成物の知覚の経時的な減少を減じる、防止する、または抑制するのに十分なレベルである。
【０１１７】
したがって、いくつかの態様は、対象による香料組成物の知覚の経時的な減少を減じる、防止する、または抑制する方法を提供し、該方法は、対象を本明細書に記載の一態様の香料組成物に曝露することを含む。
【０１１８】
いくつかの態様では、１番目は、対象の賦香組成物への曝露後１時間未満である。いくつかの態様では、１番目は、対象の賦香組成物への曝露後６０分、または５５分、または５０分、または４５分、または４０分、または３５分、または３０分、または２５分、または２０分、または１５分である。
【０１１９】
いくつかの態様では、２番目は、対象の賦香組成物への曝露後１〜６時間である。いくつかの態様では、２番目は、対象の賦香組成物への曝露後１〜５時間である。いくつかの態様では、２番目は、対象の賦香組成物への曝露後１〜４時間である。いくつかの態様では、２番目は、対象の賦香組成物への曝露後１〜３時間である。いくつかの態様では、２番目は、対象の賦香組成物への曝露後１〜２時間である。いくつかの態様では、２番目は、対象の賦香組成物への曝露後２〜６時間である。いくつかの態様では、２番目は、対象の賦香組成物への曝露後３〜６時間である。いくつかの態様では、２番目は、対象の賦香組成物への曝露後４〜６時間である。いくつかの態様では、２番目は、対象の賦香組成物への曝露後５〜６時間である。いくつかの態様では、２番目は、対象の賦香組成物への曝露後１時間、または１．５時間、または２時間、または２．５時間、または３時間、または３．５時間、または４時間、または４．５時間、または５時間、または５．５時間、または６時間である。
【０１２０】
いくつかの態様では、２番目は、対象の賦香組成物への曝露後１〜４時間である。
【０１２１】
いくつかの態様では、３番目は、対象の賦香組成物への曝露後４〜６時間である。いくつかの態様では、３番目は、対象の賦香組成物への曝露後４〜５時間である。いくつかの態様では、３番目は、対象の賦香組成物への曝露後５〜６時間である。いくつかの態様では、３番目は、対象の賦香組成物への曝露後４時間、または４．５時間、または５時間、または５．５時間、または６時間である。
【０１２２】
封入された香料アコード：いくつかの態様では、第１の香料アコードは、マトリックス材中に封入された第１の香料アコードを含む混合物をさらに含む。
【０１２３】
いくつかの態様では、第２の香料アコードは、マトリックス材中に封入された第２の香料アコードを含む混合物をさらに含む。
【０１２４】
いくつかの態様では、第３の香料アコードは、マトリックス材中に封入された第３の香料アコードを含む混合物をさらに含む。
【０１２５】
何ら特定の理論に縛られるわけではないが、マトリックス材は、香料アコードを封入し保持するシェルを形成する。マトリックス材は、賦香アコード透過性であってもよく、したがっていくつかの態様では、マトリックス材は、たとえば拡散などの機構により、保持している賦香アコードを経時的にゆっくりと放出することができる。
【０１２６】
かわりに、マトリックス材は賦香アコード不透過性であってもよい。したがって、いくつかの態様では、マトリックス材は、この封入性マトリックス材が破裂すると、保持している賦香アコードを放出することができる。
【０１２７】
いくつかの態様では、封入性マトリックス材からの第１の賦香アコードの放出速度が、１番目を規定する。
【０１２８】
いくつかの態様では、封入性マトリックス材からの第２の賦香アコードの放出速度が、２番目を規定する。
【０１２９】
いくつかの態様では、封入性マトリックス材からの第３の賦香アコードの放出速度が、３番目を規定する。
【０１３０】
マトリックス材は、フレグランスを保持することができるどのような材料であってもよい。例としては、香料アコードを包囲する破裂可能な高分子外壁で構成されるコア−シェルタイプ；マトリックスが水溶性材料を含む噴霧乾燥マトリックスタイプ；押出造粒タイプ；および噴霧乾燥担体中に複数のコア−シェルマイクロカプセルが分散している複合タイプのカプセルが挙げられる。
【０１３１】
コア−シェルカプセルの例としては、限定するものではないが、ＰｏｐＳｃｅｎｔ（登録商標）Ｍ、ＰｏｐＳｃｅｎｔ（登録商標）ＭＧ、ＰｏｐＳｃｅｎｔ（登録商標）Ｐ、およびＰｏｌｙＢｌｏｏｍ（商標）が挙げられる。
【０１３２】
噴霧乾燥カプセルの例としては、限定するものではないが、Ｆｉｒｃａｐｓ（登録商標）が挙げられる。
【０１３３】
押出造粒カプセルの例としては、限定するものではないが、Ｆｌｅｘａｒｏｍｅ（登録商標）およびＤｕｒａｒｏｍｅ（登録商標）が挙げられる。
【０１３４】
複合カプセルの例としては、限定するものではないが、ＰｏｐＳｃｅｎｔ（登録商標）Ｍ−Ｄｒｙ、ＰｏｐＳｃｅｎｔ（登録商標）Ｐ−Ｄｒｙ、およびＰｏｐＳｃｅｎｔ（登録商標）Ｍ−Ｄｒｙ  Ｐｌｕｓが挙げられる。
【０１３５】
本開示における使用に適したカプセルの別の例は、米国特許第５，１３５，７４７号明細書に開示のカプセルである。
【０１３６】
本開示における使用に適したカプセルの別の例は、米国特許第５，５０８，２５９号明細書に開示のカプセルである。
【０１３７】
本開示における使用に適したカプセルの別の例は、米国特許第６，２００，９４９号明細書に開示のカプセルである。
【０１３８】
本開示における使用に適したカプセルの別の例は、米国特許第７，２０８，４６３号明細書に開示のカプセルである。
【０１３９】
本開示における使用に適したカプセルの別の例は、米国特許出願公開第２００３／０１９４４１６号明細書に開示のカプセルである。
【０１４０】
何ら特定の理論に縛られるわけではないが、実施例５および６を参照すると、所望の感覚的恩恵を得るために、消費者製品において非閉じ込め（フリー）フレグランスと封入フレグランスとを組み合わせて使用することを要する場合が多い。たとえば、フレグランスが封入されていると、購入時、または容器から製品を吐出させたときは、製品の匂いにほとんど寄与しない場合がある。したがって、これらの段階の製品使用中の匂い強さおよび快香の両方を最適化するために、非閉じ込めフレグランスを添加することができる。
【０１４１】
しかし、その後の製品使用では、匂いおよび強さの両方を最適化するために、第２のフレグランスの放出が望ましくなり得る。「その後」とは、非閉じ込めフレグランスが体験された後の任意の時点を意味する。それは、シャワージェル、液体ハンドソープ、シャンプー製品、または手洗い用粉洗剤の場合に所望されるようなフレグランスのブルーミング効果を提供するのが目的であれば、短時間（たとえば５分未満、または１分未満）であってもよく、あるいはボディーローション、衣類柔軟剤、液体および／または粉末洗濯洗剤の場合に所望されるような持続的なフレグランス効果を提供するのが目的であれば、長時間（たとえば６時間超、または１日超）であってもよい。
【０１４２】
いくつかの態様では、対象は、非閉じ込め（フリー）フレグランスに順応することができる。そのような場合、封入フレグランスが非閉じ込めフレグランスと対照的であれば、その知覚が増強されることがある。
【０１４３】
デバイスおよび用途
いくつかの態様では、所与の香料アコードがユーザーによって何番目に知覚されるかを、該所与の香料アコードを所与の時点で吐出することにより制御することができる。たとえば、第１の香料アコードを１番目に吐出することができ、第２の香料アコードを２番目に吐出することができ、以下同様である。いくつかの実施形態では、対象は所与の香料アコードが吐出されるまでそれを知覚しない。
【０１４４】
したがって、本明細書に記載のいくつかの態様は、対象による香料組成物の知覚の経時的な減少を減じる、防止する、または抑制する方法を提供し、該方法は、空気中に少なくとも部分的に、第１の嗅覚ノートにより支配される第１の香料アコードを、そして第２の嗅覚ノートにより支配される第２の香料アコードを形成する賦香化合物を含む第２の芳香物を、順次吐出することを含む。
【０１４５】
いくつかの態様では、順次吐出することは、別々のフレグランスを互いに対し所定の時間間隔で順次発射するように構成されたデバイスを用いて実施される。これに適したデバイスとしては、ＡＩＲＷＩＣＫ（登録商標）ＳＹＭＰＨＯＮＩＡデバイスが挙げられ、該デバイスは２つの別個のフレグランスボトルを受け、かつ各ボトルに順次熱を向けてフレグランスの蒸発を加速させるように構成されている。そのようなデバイスにおいては、各ボトルに収容されたフレグランスは、フレグランスが順次発射される特性に消費者が気づきやすいように、異なっていることがある。
【０１４６】
米国特許出願公開第２０１３／０１５６４０８号明細書は、別々のフレグランスを互いに対し所定の時間間隔で順次発射するように構成されたデバイスの一例を開示している。
【０１４７】
米国特許出願公開第２０１３／０１５６４０８号明細書は、別々のフレグランスを互いに対し所定の時間間隔で順次発射する方法の一例を開示している。
【０１４８】
米国特許出願公開第２０１５／００９８８６０号明細書は、別々のフレグランスを互いに対し所定の時間間隔で順次発射する方法の一例を開示している。
【０１４９】
いくつかの態様では、デバイスは、揮発性組成物および上述の態様のいずれかで定義された組成物を空気中に順次分散するための吐出手段を備える。いくつかの態様では、デバイスは、第１のアコードと第２のアコードとが分離手段により物理的に分離されるようになっている。一態様では、デバイスはエアフレッシュナーである。対照的なアコードを順次拡散することによって、芳香の強さを経時的に向上させることができる。
【０１５０】
いくつかの態様では、１番目は、６０分、または５５分、または５０分、または４５分、または４０分、または３５分、または３０分、または２５分、または２０分、または１５分である。
【０１５１】
いくつかの態様では、２番目は、１時間、または１．５時間、または２時間、または２．５時間、または３時間、または３．５時間、または４時間、または４．５時間、または５時間、または５．５時間、または６時間である。
【０１５２】
いくつかの態様では、３番目は、４時間、または４．５時間、または５時間、または５．５時間、または６時間である。
【０１５３】
本開示の組成物は、種々の用途に使用することができる。いくつかの態様では、本発明の香料組成物はエアフレッシュナーからなる。
【０１５４】
本明細書に記載の一態様は、本明細書に記載の一態様の香料組成物を含む製品を提供する。一態様では、製品は、香水、オードトワレ、ホームケア製品、およびパーソナルケア製品からなる群より選択される。
【０１５５】
本発明は、以下の実施例により最もよく説明されるが、それらに限定されない。
【０１５６】
実施例
実施例１：対照的なアコードおよび非対照的なアコードへの順次曝露により知覚された芳香の強さの官能評価
この実施例のために、レモンアコード（Ａ１）、ライムアコード（Ａ２）、およびオリエンタルアコード（Ｃ１）の３種の香料アコードを調製した。レモンアコードとライムアコードとは非対照的なアコードであるが、レモンアコードとオリエンタルアコードとは対照的なアコードである。
【０１５７】
プロトコル：各アコードをセルロースタイプのエアフレッシュナーにつけてから、評価ブースに置いた。そして各ブースの匂いの強さを、パネルに格付けしてもらった。時間をおいて同じ日に再度試験を行った。試料の調製およびセットアップは第１の試験と同じであったが、評価前に各評価者に１５分間小型デバイスを装着してもらうという重要な違いがあった。デバイスは小型プラスチックホルダーであり、評価者の衣類に固定することができ、ホルダーにはレモンアコードを含浸させたセルロースパッドが収容されていた。こうして発明者らは、評価者をレモンアコードに順応させることができた。
【０１５８】
２つの試験の結果が図２に示されており、顕著な違いがわかる。レモンアコードが知覚された強さは、レモンアコードへの順応後は有意に抑制されていた（自己順応）。ライムアコード（レモンと比較すると、非対照的なアコード）が知覚された強さも、レモンアコードへの順応後は強く抑制されていた（有意な交叉順応＊）。他方で、オリエンタルアコード（レモンと比較すると、対照的なアコード）が知覚された強さは、レモンアコードへの順応後は増加／増強されていた。レモンアコードとオリエンタルアコードとは「対照的なフレグランスアコード」の定義に当てはまると思われる、つまり、交叉順応がなく、知覚の増強がある。
【０１５９】
実施例２：対照的なアコードおよび非対照的なアコードへの順次曝露により知覚された芳香の強さの官能評価
実施例１に記載のプロトコルを、より大勢のパネルおよび異なるアコードを用いて繰り返した。用いたアコードは、ベリーアコード（Ａ１）およびココナツアコード（Ｃ１）であった。ベリーアコードに対し「相補的」と思われるアコード、つまり著しい違い（ライムとレモンとの違いよりも大きい）はあるが、何らかの共通の嗅覚特質を有するアコードも使用し、その目的で、アップルアコード（Ｂ１）を用いた。結果を図３に示す。ベリーアコードは強い自己順応効果を示し、アップルアコードとの交叉順応を示したが、ココナツアコードとの交叉順応は示さなかった。さらに、ベリーへの順応後、ココナツアコードの増強があった。
【０１６０】
実施例３：本明細書に記載のいくつかの態様の香料組成物の知覚された芳香の強さの官能評価
官能試験は２４人のパネリストにより実施された。２種の対照的なフレグランスアコード、つまり「レモン」（Ａ１）と「メレンゲ」（Ｃ１）を用いた。３つの同じ匂い評価ブースを、次のように立ち上げた：１つのブースは２ｇの「レモン」アコードをそれぞれ含浸させた２つの５ｃｍｘ５ｃｍセルロースパッドを収容し、第２のブースは２ｇの「メレンゲ」アコードをそれぞれ含浸させた２つの５ｃｍｘ５ｃｍセルロースパッドを収容し、第３のブースは２ｇの「レモン」アコードを含浸させた１つの５ｃｍｘ５ｃｍセルロースパッドおよび「メレンゲ」アコードを含浸させた１つの５ｃｍｘ５ｃｍセルロースパッドを収容した。パネリストたちに各ブースの匂いの強さを格付けしてもらった。ふつうなら、「レモン＋メレンゲ」の混合物の強さは、レモンのみ、およびメレンゲのみの強さの間に格付けされると予想されようが、驚くべきことに、混合物の強さは、どちらの単一アコードの強さよりも有意に高かった。結果を図３に示す。
【０１６１】
また、パネリストによると、シトラス感は、単独で嗅いだときよりも、「メレンゲ」と合わせたときのほうが顕著だった。この見解は、これらの試料を嗅いだプロの評価者数名からも得られた。
【０１６２】
実施例４：本明細書に記載のいくつかの態様のファインフレグランス香料組成物の知覚された芳香の強さの官能評価
官能試験は、各セッションにつき２２〜２４人のパネリストにより実施され、以下の表１〜３に示す３つの異なるセッション（ｓｅｓａｓｉｏｎｓ）で示される３種のファインフレグランスを比較した。
【０１６３】
【表１−１】
2021506991.tif 000003
【０１６４】
【表１−２】
2021506991.tif 000004
【０１６５】
【表２−１】
2021506991.tif 000005
【０１６６】
【表２−２】
2021506991.tif 000006
【０１６７】
【表３】
2021506991.tif 000007
【０１６８】
ファインフレグランスをガラススライドにつけて、３２℃に維持した。ガラス表面につけてから１５分、１時間、２時間、４時間、および６時間後、スライドをランダムに提示することにより、フレグランスの嗅覚プロファイルおよび知覚される全体的強さを評価した。
【０１６９】
パネリストに、（提示したグリーン、シトラス、フルーティー、フローラル、ウッディ、ムスク、スイート／グルマンの７つから）最も優勢な３つの表現用語を選択してもらうことで、嗅覚プロファイルを表現してもらった。パネリストはまた、何も知覚しない（すなわち、嗅覚プロファイルを表現できない）ときは、そう言うこともできた。
【０１７０】
ガラス表面につけてから１５分、１時間、２時間、４時間、および６時間後、スライドをランダムに提示することにより、知覚したフレグランスの全体的強さをパネリストに格付けしてもらった。
【０１７１】
フレグランスをセルロースパッドにつけ、パネリストにガラススライドを再提示する前に該フレグランスをパネリストに２分間提示することにより、順応を決定した。
【０１７２】
基準ファインフレグランス：図５を参照すると、嗅覚プロファイルは経時的に変化しなかったようであり、パネリストはどの時点でもフローラル、ムスク、およびウッディプロファイルを報告した。水平線は、用語の無作為選択の限界を示す。パネリストの４６％は嗅覚プロファイルの変化を報告せず、パネリストの４６％が２〜４の嗅覚プロファイルの変化を報告し、最大４つの嗅覚プロファイルの変化を報告したパネリストはいなかった。
【０１７３】
図６を参照すると、基準ファインフレグランスの知覚は、フレグランスに２分間曝露した後、有意に低下している。曝露前は選択された用語の６５％が偶発レベルよりも高かったのに比べ、曝露後は１５％であった。
【０１７４】
注意調節フレグランス「ＨＡＦ  Ａ」：図７を参照すると、嗅覚プロファイルは変化しまたは切り替わっており、パネリストはシトラス／グリーンプロファイルを１５分の時点で、フローラル／フルーティープロファイルを１〜４時間の時点で、そしてフローラル／フルーティー／シトラス／スイートプロファイルを６時間の時点で報告している。水平線は、用語の無作為選択の限界を示す。嗅覚プロファイルの変化を報告しなかったパネリストは１８％だけで、７３％のパネリストが２〜４の嗅覚プロファイルの変化を報告し、２３％のパネリストが最大４つの嗅覚プロファイルの変化を報告した。
【０１７５】
図８を参照すると、注意調節ファインフレグランスの知覚は、基準フレグランスに２分間曝露した後で観測された低下と比べて、それほど低下しなかった。曝露後、選択された用語の３８％が偶発レベルよりも高かったのに比べ、基準フレグランスではわずか１５％だった。
【０１７６】
注意調節フレグランス「ＨＡＦ  Ａ２」：図９を参照すると、嗅覚プロファイルは変化し、または切り替わっており、パネリストはシトラス／フローラル／フルーティー／グリーンプロファイルを１５分の時点で、そしてフローラル／フルーティー／スイートプロファイルを１〜６時間の時点で報告している。水平線は、用語の無作為選択の限界を示す。嗅覚プロファイルの変化を報告しなかったパネリストは９％だけで、８２％のパネリストが２〜４の嗅覚プロファイルの変化を報告し、３４％のパネリストが最大４つの嗅覚プロファイルの変化を報告した。
【０１７７】
図１０を参照すると、注意調節ファインフレグランスの知覚は、基準フレグランスに２分間曝露した後で観測された低下と比べて、それほど低下しなかった。曝露後、選択された用語の５１％が偶発レベルよりも高かったのに比べ、基準フレグランスではわずか１５％だった。
【０１７８】
図１１は、基準フレグランスおよび２種の試験フレグランスの順応後の知覚の強さの低下率に対する順応の効果を示す。順応後の強さのより大きな低下が、基準フレグランスで、特に２時間および４時間の時点で観測された。
【０１７９】
まとめると、これらのデータは、本明細書に記載のいくつかの態様の香料組成物の嗅覚プロファイルが、基準組成物と比べて、経時的により変化することを示唆している。また、本明細書に記載のいくつかの態様の香料組成物は、基準組成物と比べて順応が少ないことが、対象により観測されている。最後に、本明細書に記載のいくつかの態様の香料組成物は、２分間の順応後に知覚される強さの低下が少ないことにより実証されたように、基準組成物よりも長持ちする。
【０１８０】
【表４−１】
2021506991.tif 000008
【０１８１】
【表４−２】
2021506991.tif 000009
【０１８２】
【表４−３】
2021506991.tif 000010
【０１８３】
【表４−４】
2021506991.tif 000011
【０１８４】
【表４−５】
2021506991.tif 000012
【０１８５】
【表４−６】
2021506991.tif 000013
【０１８６】
【表５−１】
2021506991.tif 000014
【０１８７】
【表５−２】
2021506991.tif 000015
【０１８８】
【表５−３】
2021506991.tif 000016
【０１８９】
【表５−４】
2021506991.tif 000017
【０１９０】
【表５−５】
2021506991.tif 000018
【０１９１】
【表５−６】
2021506991.tif 000019
【０１９２】
【表５−７】
2021506991.tif 000020
【０１９３】
【表５−８】
2021506991.tif 000021
【０１９４】
【表５−９】
2021506991.tif 000022
【０１９５】
【表５−１０】
2021506991.tif 000023
【０１９６】
【表５−１１】
2021506991.tif 000024
【０１９７】
【表５−１２】
2021506991.tif 000025
【０１９８】
【表５−１３】
2021506991.tif 000026
【０１９９】
【表５−１４】
2021506991.tif 000027
【０２００】
【表５−１５】
2021506991.tif 000028
【０２０１】
【表５−１６】
2021506991.tif 000029
【０２０２】
【表６−１】
2021506991.tif 000030
【０２０３】
【表６−２】
2021506991.tif 000031
【０２０４】
【表６−３】
2021506991.tif 000032
【０２０５】
【表６−４】
2021506991.tif 000033
【０２０６】
【表６−５】
2021506991.tif 000034
【０２０７】
【表６−６】
2021506991.tif 000035
【０２０８】
【表６−７】
2021506991.tif 000036
【０２０９】
【表６−８】
2021506991.tif 000037
【０２１０】
【表６−９】
2021506991.tif 000038
【０２１１】
【表６−１０】
2021506991.tif 000039
【０２１２】
【表６−１１】
2021506991.tif 000040
【０２１３】
【表６−１２】
2021506991.tif 000041
【０２１４】
【表６−１３】
2021506991.tif 000042
【０２１５】
【表６−１４】
2021506991.tif 000043
【０２１６】
【表６−１５】
2021506991.tif 000044
【０２１７】
【表６−１６】
2021506991.tif 000045
【０２１８】
【表６−１７】
2021506991.tif 000046
【０２１９】
【表６−１８】
2021506991.tif 000047
【０２２０】
【表６−１９】
2021506991.tif 000048
【０２２１】
【表６−２０】
2021506991.tif 000049
【０２２２】
【表６−２１】
2021506991.tif 000050
【０２２３】
【表６−２２】
2021506991.tif 000051
【０２２４】
【表７−１】
2021506991.tif 000052
【０２２５】
【表７−２】
2021506991.tif 000053
【０２２６】
【表７−３】
2021506991.tif 000054
【０２２７】
【表７−４】
2021506991.tif 000055
【０２２８】
【表７−５】
2021506991.tif 000056
【０２２９】
【表７−６】
2021506991.tif 000057
【０２３０】
【表７−７】
2021506991.tif 000058
【０２３１】
【表８−１】
2021506991.tif 000059
【０２３２】
【表８−２】
2021506991.tif 000060
【０２３３】
【表８−３】
2021506991.tif 000061
【０２３４】
【表８−４】
2021506991.tif 000062
【０２３５】
【表８−５】
2021506991.tif 000063
【０２３６】
【表８−６】
2021506991.tif 000064
【０２３７】
【表９−１】
2021506991.tif 000065
【０２３８】
【表９−２】
2021506991.tif 000066
【０２３９】
【表９−３】
2021506991.tif 000067
【０２４０】
【表９−４】
2021506991.tif 000068
【０２４１】
【表９−５】
2021506991.tif 000069
【０２４２】
【表１０−１】
2021506991.tif 000070
【０２４３】
【表１０−２】
2021506991.tif 000071
【０２４４】
【表１０−３】
2021506991.tif 000072
【０２４５】
【表１０−４】
2021506991.tif 000073
【０２４６】
【表１０−５】
2021506991.tif 000074
【０２４７】
【表１０−６】
2021506991.tif 000075
【０２４８】
【表１０−７】
2021506991.tif 000076
【０２４９】
【表１０−８】
2021506991.tif 000077
【０２５０】
【表１０−９】
2021506991.tif 000078
【０２５１】
【表１０−１０】
2021506991.tif 000079
【０２５２】
【表１０−１１】
2021506991.tif 000080
【０２５３】
【表１０−１２】
2021506991.tif 000081
【０２５４】
【表１０−１３】
2021506991.tif 000082
【０２５５】
【表１０−１４】
2021506991.tif 000083
【０２５６】
【表１０−１５】
2021506991.tif 000084
【０２５７】
【表１０−１６】
2021506991.tif 000085
【０２５８】
実施例４：対照的なフレグランスおよび非対照的なフレグランスへの順次曝露により知覚されたフレグランスの強さの官能評価
この実施例のために、次の３種のフレグランスを調製した：消費者製品ベースに直接添加するのに適しているアーモンド／ココナツ／ウッディフレグランス（ＡＣＭ１）；ポリウレアコア−シェルカプセルに封入するのに適しているアーモンド／ココナツ／ウッディフレグランス（ＡＣＭ２）；およびポリウレアコア−シェルカプセルに封入するのに適しているフルーティー／マンゴー／パッションフルーツフレグランス（ＦＭＰ１）。アーモンド／ココナツ／ウッディフレグランス（ＡＣＭ１）とアーモンド／ココナツ／ウッディフレグランス（ＡＣＭ２）とは非対照的なフレグランスであるが、アーモンド／ココナツ／ウッディフレグランス（ＡＣＭ１）とフルーティー／マンゴー／パッションフルーツフレグランス（ＦＭＰ１）とは対照的なフレグランスである。
【０２５９】
第１の試験を次のようにして実施した。１．００ｇのフレグランスＡＣＭ１および１．００ｇのフレグランスＡＣＭ２を、別々の２”ｘ２”セルロースパッド（Ｃａｒｌｓｏｎ  Ｆｉｌｔｒａｔｉｏｎ  Ｌｔｄ．，  製品リファレンスＥＥ３．０）につけて、ガラス製ペトリ皿に入れた。０．２５ｇのフレグランスＦＭＰ１を１”ｘ１”セルロースパッド（Ｃａｒｌｓｏｎ  Ｆｉｌｔｒａｔｉｏｎ  Ｌｔｄ．，  製品リファレンスＥＥ３．０）につけて、ガラス製ペトリ皿に入れた。次に、これらのフレグランスを含んだセルロースパッドを、容量３９０ｃｕ．ｆｔの３つの同じ匂い評価ブースに入れ、１時間に３回空気を入れ替えた。試験中のキャビン内の環境条件は、温度７２°Ｆ、相対湿度３５％とし、１時間に３回空気を入れ替えた。各キャビン内に卓上扇風機を置いて低速で運転させて、内部の空気を循環させた。
【０２６０】
１時間後、キャビン内のフレグランス強さを、訓練は受けていないが経験のある１６人の評価者が評価した。「訓練は受けていないが経験のある評価者」という用語は、正式な嗅覚訓練は受けていないが、このような官能パネルに参加することに慣れており、フレグランス強さの格付けの経験もある人を指す。
【０２６１】
評価者に、キャビンの匂いを嗅いで、１〜７のカテゴリースケールでフレグランス強さを格付けするように指示をした。ここで１は、知覚できる匂いがないことを指し、７は、非常に強い匂いを指す。試験キャビンは、盲検式に、平衡化、無作為化し、シーケンシャルモナディック式に提示した。評価者は、次の評価をするまでに６０秒間待つように指示された。
【０２６２】
この第１の試験の結果を表１１に示す。
【０２６３】
時間をおいて同じ日に第２の試験を実施した。試料の調製およびセットアップは第１の試験と同じであったが、キャビンのフレグランスの強さを評価する前に各評価者に１５分間小型デバイスを装着してもらうという重要な違いがあった。デバイスは小型プラスチックホルダーであり、評価者の衣類に固定することができ、ホルダーには１．００ｇのアーモンド／ココナツ／ウッディフレグランス（ＡＣＭ１）を含浸させた２”ｘ２”セルロースパッドが収容されていた。こうして発明者らは、評価者をアーモンド／ココナツ／ウッディフレグランス（ＡＣＭ１）に順応させることができた。
【０２６４】
訓練は受けていないが経験のある１７人の評価者が第２の試験に参加し、その結果が表１２に示されている。
【０２６５】
２つの試験の平均パネリスト強さが図１２に一緒に示されており、顕著な違いがわかる。アーモンド／ココナツ／ウッディフレグランス（ＡＣＭ１）が知覚された強さは、それ自体への順応後は有意に抑制されていた（自己順応）。アーモンド／ココナツ／ウッディフレグランス（ＡＣＭ２）が知覚された強さも、ＡＣＭ１への順応後は強く抑制されていた（有意な交叉順応）。他方で、フルーティー／マンゴー／パッションフルーツフレグランス（ＦＭＰ１）が知覚された強さは、ＡＣＭ１への順応後も影響されていなかった。アーモンド／ココナツ／ウッディフレグランス（ＡＣＭ１）とフルーティー／マンゴー／パッションフルーツフレグランス（ＦＭＰ１）とは、それらの間に交叉順応がないため、「対照的なフレグランスアコード」の定義に当てはまると思われる。
【０２６６】
【表１１】
2021506991.tif 000086
【０２６７】
【表１２】
2021506991.tif 000087
【０２６８】
実施例５：対照的なフレグランス／カプセル系および非対照的なフレグランス／カプセル系のシャワージェルにおいて知覚されたフレグランスの強さの官能評価
この実施例で用いた消費者製品は、構造化された透明シャワージェルであり、その組成は以下のとおりであった。
【０２６９】
【表１３】
2021506991.tif 000088
【０２７０】
基準（非対照的）フレグランス／カプセル系を含む第１のシャワージェル配合物（ＳＧ１）を次のようにして調製した。３．００ｇのアーモンド／ココナツ／ウッディフレグランス（ＡＣＭ１、実施例４参照）を２９４．０ｇの構造化された透明シャワージェル組成物と混合した。これに、平均粒径が３００〜４００ミクロンであり、かつおよそ３０質量％のアーモンド／ココナツ／ウッディフレグランス（ＡＣＭ２、実施例４参照）を含む、３．００ｇのポリウレアコア−シェルカプセルサスペンションを添加した。この試料を、カプセルがシャワージェル全体に均等に分散するまで、ガラス棒でそっと撹拌した。
【０２７１】
本発明の対照的なフレグランス／カプセル系を含む第２のシャワージェル配合物（ＳＧ２）を次のようにして調製した。３．００ｇのアーモンド／ココナツ／ウッディフレグランス（ＡＣＭ１、実施例４参照）を２９６．２５ｇの構造化された透明シャワージェル組成物と混合した。これに、平均粒径が３００〜４００ミクロンであり、かつおよそ３０質量％のフルーティー／マンゴー／パッションフルーツフレグランス（ＦＭＰ１、実施例４参照）を含む、０．７５ｇのポリウレアコア−シェルカプセルサスペンションを添加した。この試料を、カプセルがシャワージェル全体に均等に分散するまで、ガラス棒でそっと撹拌した。
【０２７２】
非閉じ込め（フリー）フレグランスだけを含む第３のシャワージェル配合物（ＳＧ３）を次のようにして調製した。２．００ｇのアーモンド／ココナツ／ウッディフレグランス（ＡＣＭ１、実施例４参照）を１９８．００ｇの構造化された透明シャワージェル組成物と混合した。
【０２７３】
第１の試験を次のようにして実施した。５０ｇのシャワージェル（ＳＧ１）を２本の４オンスのアンバーガラス瓶にそれぞれ入れた。ガラス瓶のうち１本は蓋をした。第２のガラス瓶の内容物を１０秒間激しく混合してから蓋をした（混合するとフレグランスカプセルの一部が破裂され、消費者がシャワージェルを使う際に体験するカプセルの破壊が模倣される）。同様にして、シャワージェル（ＳＧ２）を用いて２本の４オンスのアンバーガラス瓶を作製した。
【０２７４】
評価者パネルに、瓶の匂いを嗅いで、１〜７のスケールでフレグランスの強さを格付けしてもらった。ここで１は、知覚できる匂いがないことを指し、７は、非常に強い匂いを指す。試料は、３桁の無作為コードを貼って盲検式に提示した。パネリストへの試料の提示は、次の４つの提示順により平衡化された。
１．ＳＧ１不混合；次いでＳＧ２不混合；次いでＳＧ１混合；次いでＳＧ２混合
２．ＳＧ１不混合；次いでＳＧ２不混合；次いでＳＧ２混合；次いでＳＧ１混合
３．ＳＧ２不混合；次いでＳＧ１不混合；次いでＳＧ１混合；次いでＳＧ２混合
４．ＳＧ２不混合；次いでＳＧ１不混合；次いでＳＧ２混合；次いでＳＧ１混合。
【０２７５】
第１の試験の結果を表１３に示す。パネリストのデータを反復測定分散分析により分析し、信頼区間９５％で平均値の差についてのＴｕｋｅｙの事後解析を行った。
【０２７６】
【表１４】
2021506991.tif 000089
【０２７７】
時間をおいて同じ日に第２の試験を行った。試料の調製およびセットアップは第１の試験と同じであったが、２つの不混合シャワージェルのフレグランスの強さの格付け後、第５の瓶の匂いをおよそ３０秒〜１分間嗅ぎ続ける（が、格付けはしない）よう評価者に指示した、という重要な違いがあった。この第５の瓶には、５０ｇのシャワージェル（ＳＧ３）が入っていた。こうして発明者らは、評価者を非閉じ込めアーモンド／ココナツ／ウッディフレグランス（ＡＣＭ１）に順応させることができた。したがって、パネリストへの試料の提示は、次の４つの提示順により概ね平衡化された。
１．ＳＧ１不混合；次いでＳＧ２不混合；次いでＳＧ３への順応；次いでＳＧ１混合；次いでＳＧ２混合
２．ＳＧ１不混合；次いでＳＧ２不混合；次いでＳＧ３への順応；次いでＳＧ２混合；次いでＳＧ１混合
３．ＳＧ２不混合；次いでＳＧ１不混合；次いでＳＧ３への順応；次いでＳＧ１混合；次いでＳＧ２混合
４．ＳＧ２不混合；次いでＳＧ１不混合；次いでＳＧ３への順応；次いでＳＧ２混合；次いでＳＧ１混合。
【０２７８】
第１の試験の結果を表１４に示す。パネリストのデータを反復測定分散分析により分析し、信頼区間９５％で平均値の差についてのＴｕｋｅｙの事後解析を行った。
【０２７９】
図１３は、第１の試験の平均パネルスコアを示す。不混合シャワージェル（ＳＧ１およびＳＧ２）は、同じようなフレグランス強さを提供している。両シャワージェル（ＳＧ１およびＳＧ２）は混合後、対応する不混合試料と比べて、知覚された強さのわずかな増加を示しているが、このことは混合ステップによってカプセルが破れたことと一致している。４種の試料の強さの格付け平均値は、９５％信頼区間では有意差がない。
【０２８０】
図１４は、第２の試験の平均パネルスコアを示す。第１の試験と同様、不混合シャワージェル（ＳＧ１およびＳＧ２）は似たようなフレグランス強さを提供しているが、混合後は試料間に顕著な差が生じている。対応する不混合試料と比べて、混合ＳＧ１は、知覚された強さがわずかに低下している。混合ＳＧ２試料は、不混合試料と比べて、知覚された強さの有意な増加を示している。ＳＧ１のカプセルの破壊により得られる強さのブーストは、不混合試料への順応後は抑制された。他方で、ＳＧ２に用いた対照的なフレグランス／カプセル系は、順応に対する耐性がより強く、カプセルの破壊後、統計学的に有意な強さブーストを示した。アーモンド／ココナツ／ウッディフレグランス（フレグランス）とフルーティー／マンゴー／パッションフルーツフレグランス（カプセル）を含むフレグランス／カプセル系とは、それらの間に交叉順応がないため、「対照的なフレグランス／カプセル系」の定義に当てはまることになる。
【０２８１】
【表１５】
2021506991.tif 000090
【０２８２】
本明細書全体で引用された出版物は、それらの全体を参照により本明細書に取り入れる。上記では本発明のさまざまな態様が、諸実施例および好ましい実施形態を参照して説明されているが、本発明の範囲は、前述の記載により定められるのではなく、特許法に則り適切に解釈される以下の特許請求の範囲により定められることを理解されたい。
【図１】
2021506991.tif 000091
【図２】
2021506991.tif 000092
【図３】
2021506991.tif 000093
【図４】
2021506991.tif 000094
【図５】
2021506991.tif 000095
【図６】
2021506991.tif 000096
【図７】
2021506991.tif 000097
【図８】
2021506991.tif 000098
【図９】
2021506991.tif 000099
【図１０】
2021506991.tif 000100
【図１１】
2021506991.tif 000101
【図１２】
2021506991.tif 000102
【図１３】
2021506991.tif 000103
【図１４】
2021506991.tif 000104
【国際調査報告】
2021506991.tif 000105
2021506991.tif 000106
2021506991.tif 000107
2021506991.tif 000108